(57)【要約】  【課題】  制御装置本体から伝送されている制御信号の制御端末器における受信異常を、制御端末器側にて検出して表示すると共に受信異常を記憶する照明制御システムを提供する。  【解決手段】  照明器具５を接続する複数の制御端末器４と、複数の制御端末器４に接続された照明器具５の操作入力を行う操作スイッチ部２と、操作スイッチ部２からの入力に応じて、複数の制御端末器４に接続されている照明器具５の操作制御と状態監視等の制御信号を生成して伝送する制御装置本体１と、制御端末器４に設けられ、制御装置本体１から伝送された制御信号の受信異常を検出して異常情報を記憶すると共に、受信異常表示を行う受信異常検出手段とを備えた照明制御システム。  【選択図】  図１
2006186665.tif 000002
【特許請求の範囲】
【請求項１】
照明負荷を接続する複数の制御端末器と；
前記複数の制御端末器に接続されている照明負荷の操作制御と状態監視等の制御信号を生成して伝送する制御装置本体と；
前記制御端末器それぞれに設けられ、前記制御装置本体から伝送された制御信号の受信異常を検出して異常情報を記憶すると共に、受信異常表示を行う受信異常検出手段と；
を具備することを特徴とした照明制御システム。
【請求項２】
前記受信異常検出手段は、前記制御装置本体から伝送された制御信号を一定時間検出できない場合に、受信異常と判定することを特徴とした請求項１記載の照明制御システム。
【請求項３】
前記受信異常検出手段は、前記制御装置本体から伝送された制御信号のうち、自らの制御端末器に設定されたアドレスを有する操作制御又は状態監視のいずれかの制御信号を検出できない場合に、受信異常と判定することを特徴とした請求項１記載の照明制御システム。
【発明の詳細な説明】
【技術分野】
【０００１】
本発明は、複数の照明負荷の点灯、消灯及び調光等の操作制御と状態監視等の照明制御システムに関する。
【背景技術】
【０００２】
近年、ビル等の屋内照明において、屋内の照明器具の操作制御と状態監視のために照明制御システムが用いられている。照明制御システムは、照明器具等の照明負荷が接続され、接続された照明負荷の点灯、消灯及び調光等の制御を行う複数の制御端末器と、複数の制御端末器それぞれに対応して設けられている照明負荷の点灯、消灯及び調光などの操作を入力する操作スイッチ部と、操作スイッチ部からの各制御端末器に対する操作入力に応じて、制御端末器それぞれの操作制御信号を生成して伝送する制御装置本体とからなっている。複数の制御端末器、操作スイッチ部、及び制御装置本体は、制御信号等を伝送する多重伝送線により接続されている。
【０００３】
複数の制御端末器それぞれは、固有のアドレスが割り付けられている。操作スイッチ部は、複数の制御端末器毎に対応する点灯、消灯スイッチや調光入力器が設けられている。制御装置本体は、操作者が操作スイッチ部を用いて入力された複数の制御端末器毎の点灯、消灯及び調光等の操作指示に応じて、多重伝送線を介して、制御端末器のアドレスと操作制御データからなる操作制御信号を生成して送信すると共に、各制御端末器毎の点灯、消灯及び調光等の状態を監視する。
【０００４】
このような照明制御システムにおいて、多重伝送線の接続異常が原因となって、制御端末器に接続した照明負荷の制御異常が発生する。照明負荷の制御異常が発生した際に、制御異常が発生した照明負荷が接続された制御端末器を特定するための制御異常データを収集記憶する照明制御システムが、例えば、特許文献１に提案されている。
【０００５】
特許文献１に提案されている照明制御システムは、制御装置本体内に操作スイッチ部からの入力に応じて生成出力した制御端末器への操作制御データと、制御端末器による照明負荷の制御後に返信される操作制御結果データとを記憶させ、記憶されている操作制御データと操作制御結果データとを比較して一致と不一致の判定を行い、不一致が判定されると制御異常のデータとして記憶するようになっている。この制御異常データを基に、制御端末器の異常原因の解析と補修を行う。
【特許文献１】特開平１１−２５９１２８号公報
【発明の開示】
【発明が解決しようとする課題】
【０００６】
特許文献１に提案されている照明制御システムは、制御装置に設けられた制御端末器に伝送した操作制御データと、制御端末器からの操作制御結果データとを比較して制御異常を判定して記憶する判定記憶機能により制御異常が生じた制御端末器の認識が可能となる。この制御異常は、制御端末器自体が原因の場合と、制御装置と制御端末器を接続する多重伝送線の接続異常が原因の場合とがある。多重伝送線の接続異常は、制御装置に記憶された制御異常の発生した制御端末器のデータからは、多重伝送線に接続されている制御端末器の物理的な接続順序が判明していないと容易には検索できない。又、多重伝送線の配線が原因とする異常の場合は、多重伝送線の配線の眼視による点検と配線のやり直しに多くの時間が課題がある。さらに、多重伝送線と制御端末器との接続に緩みが生じて、一時的に接続不良の状態が生じると、点検補修時には、その一時的接続不良が解消されている場合もある。この多重伝送線の緩みなどによる一時的接続不良は、制御装置本体に記憶されている制御異常データからは該当制御端末器に接続されている多重伝送線の位置確認が困難である課題がある。
【０００７】
本発明は、このような事情に鑑みてなされたもので、制御端末器毎に制御装置本体から伝送されている制御信号から自らのアドレスを含む制御信号の有無により信号の受信異常を検出し、受信異常がある場合は、受信異常を示す表示と受信異常の事実を記憶する照明制御システムを提供することを目的としている。
【課題を解決するための手段】
【０００８】
請求項１に記載の本発明の照明制御システムは、照明負荷を接続する複数の制御端末器と；前記複数の制御端末器に接続されている照明負荷の操作制御と状態監視等の制御信号を生成して伝送する制御装置本体と；前記制御端末器それぞれに設けられ、前記制御装置本体から伝送された制御信号の受信異常を検出して異常情報を記憶すると共に、受信異常表示を行う受信異常検出手段と、を具備することを特徴としている。
【０００９】
請求項２に記載の本発明の照明制御システムは、請求項１記載の照明制御システムにおいて、前記受信異常検出手段は、前記制御装置本体から伝送された制御信号を一定時間検出できない場合に、受信異常と判定することを特徴としている。
【００１０】
また、請求項３の本発明の照明制御システムは、請求項１記載の照明制御システムにおいて、前記受信異常検出手段は、前記制御装置本体から伝送された制御信号のうち、自らの制御端末器に設定されたアドレスを有する操作制御又は状態監視のいずれかの制御信号を検出できない場合に、受信異常と判定することを特徴としている。
【００１１】
本発明において用語の定義及び技術的意味は次による。
【００１２】
制御端末器は、伝送線を介して伝送された操作制御信号に応じて、接続されている照明負荷の点灯、消灯及び調光を制御するものである。制御端末器は、複数設けられ個別にアドレスが付されて、後述する伝送線に接続されている。照明負荷は、制御端末器により点灯、消灯及び調光制御される照明ランプ、ランプ点灯回路、調光制御回路、及び反射傘等からなる照明器具である。
【００１３】
制御端末器には、後述する制御装置本体から伝送される操作制御信号や状態監視信号等の制御信号の受信異常を検出して受信異常を記憶すると共に、受信異常を表示する受信異常検出手段を有している。
【００１４】
受信異常検出手段は、制御装置本体から伝送される各制御端末器に対する操作制御信号を一定時間受信できたか否か、あるいは、制御装置本体から一定間隔にて伝送される各制御端末器の動作状態監視のための状態監視信号を受信できたか否かの判定を行う。受信異常が検出されると受信異常が発生した情報を不揮発性のメモリ等の記憶手段に記憶すると共に、ＬＥＤ等の表示手段を点灯させて受信異常が発生したことを表示させる。
【００１５】
操作スイッチ部は、個々の制御端末器に接続された照明器具の点灯、消灯及び調光入力のための操作スイッチが複数設けられたものである。操作スイッチ部は、壁面に設けられ、操作者が操作スイッチを操作すると、その操作したスイッチに対応する制御端末器の点灯、消灯及び調光の操作入力情報が伝送線を介して後述する制御装置本体に伝送される。
【００１６】
制御装置本体は、各制御端末器毎の点灯、消灯及び調光を操作制御するための制御端末器のアドレスと、点灯、消灯及び調光の操作の制御を行う操作制御データからなる操作制御信号を生成して伝送線を介して複数の制御端末器に順次繰り返し伝送するものである。制御装置本体には、操作制御信号の生成伝送と共に、各制御端末器からの操作制御の結果の信号を受信して伝送した操作制御信号と比較して、各制御端末器への操作制御信号の伝送の確認ができるようになっている。さらに、制御装置本体は、各制御端末器へ順次繰り返し伝送する操作制御信号の間に所定の間隔毎に各制御端末器の動作状態を監視するための状態監視信号を生成して伝送し、その状態監視信号に対する各制御端末器からの動作状態情報により各制御端末器の動作状態を確認できるようになっている。
【００１７】
なお、制御装置本体は、壁面など設けられた個々の制御端末器に接続された照明器具の点灯、消灯及び調光入力のための操作スイッチが複数設けられた操作スイッチ部からの操作者による操作入力、あるいは、制御装置本体に事前設定された各制御端末器毎の点灯、消灯及び調光のスケジュールに基づいて各制御端末器の点灯、消灯及び調光の操作入力情報が生成する。
【００１８】
伝送線は、操作スイッチ部から制御装置本体に伝送される操作入力情報、及び制御装置本体と制御端末器との間で伝送される操作制信号と状態監視信号、及び操作制御結果情報と動作状態情報等が伝送される多重伝送線である。
【発明の効果】
【００１９】
本発明の照明制御システムは、制御装置本体から順次伝送される制御信号の受信異常が検出された制御端末器毎に受信異常の発生の記憶と表示がなされるために、受信異常が発生した制御端末器の特定が速やかに行え、制御端末器の点検補修が容易となる効果を有している。
【発明を実施するための最良の形態】
【００２０】
以下、図面を参照して本発明の実施の形態について詳細に説明する。本発明の一実施形態である照明制御システムについて図１乃至図３を用いて説明する。図１は本発明の一実施形態の照明制御システムの全体構成を示すブロック図、図２は本発明の一実施形態の照明制御システムに用いる制御端末器の構成を示すブロック図、図３は本発明の一実施形態の照明制御システムの操作制御信号、状態監視信号、及び各信号の伝送形態を説明する説明図である。
【００２１】
本発明の一実施形態の照明制御システムの全体構成を図１を用いて説明する。照明制御システムは、制御装置本体１、制御装置本体１に伝送線３を介して接続された操作スイッチ部２、制御装置１に伝送線３を介して接続された複数の制御端末器４ａ〜４ｎ、制御端末器４ａ〜４ｎにそれぞれ接続された照明負荷である照明器具５ａ〜５ｎ、及び制御端末器４ａ〜４ｎを介して照明器具５ａ〜５ｂに点灯電源を供給する電源装置６とからなる。
【００２２】
制御装置本体１は、操作スイッチ部２からの制御端末器４ａ〜４ｎ毎の照明器具５ａ〜５ｎの点灯、消灯及び調光の操作入力に応じて、制御端末器４ａ〜４ｎ毎の点灯、消灯及び調光等の後述する操作制御信号と、各制御端末器４ａ〜４ｎ毎の現在の動作状態を検出するための後述する状態監視信号等の制御信号を生成して伝送する。さらに、制御装置本体１は、伝送した操作制御信号と状態監視信号の制御信号に応じて各制御端末器４ａ〜４ｎからの操作結果と動作状態の情報を受信して、各制御端末器４ａ〜４ｎへ伝送した制御信号の内容と比較する。制御装置本体１から各制御端末器４ａ〜４ｎに伝送した制御信号の内容と、各制御端末器４ａ〜４ｎからの操作結果と動作状態の情報が不一致であると、不一致の制御端末器４ａ〜４ｎを記臆する。
【００２３】
操作スイッチ部２は、各制御端末器４ａ〜４ｎそれぞれに対応する照明器具５ａ〜５ｎの点灯、消灯及び調光の操作入力用の複数のスイッチが設けられている。操作スイッチ部２は、壁面に設けられ、操作者により制御端末器４ａ〜４ｎ毎の点灯、消灯及び調光の操作入力が行われる。操作者が操作スイッチ部２のスイッチを操作して入力された情報は、伝送線３を介して制御装置本体１に供給される。
【００２４】
制御端末器４ａ〜４ｎは、それぞれに固有のアドレスが付されている。制御端末器４の構成は、図２を用いて後述するが、制御装置本体１に伝送線３によって直列に接続されている。制御端末器４ａ〜４ｎは、制御装置本体１から伝送された制御信号の操作制御信号に応じて、照明器具５ａ〜５ｎの点灯、消灯及び調光する。
【００２５】
照明器具５ａ〜５ｎは、照明ランプ、照明ランプの点灯回路、調光回路、及び反射傘などからなり、制御端末器４ａ〜４ｎにより点灯消灯及び調光される。電源装置６は、制御端末器４ａ〜４ｎを介して照明器具５ａ〜５ｎに点灯電力を供給する。
【００２６】
次に、制御端末器４の構成について図２を用いて説明する。制御端末器４は、伝送線３に接続されたドライバー回路１１、ドライバー回路１１に接続されたマイクロコンピュータ（以下、単にＣＰＵと称する）１２、ＣＰＵ１２に接続された不揮発性のメモリ１３、ＣＰＵ１２の制御の基で点灯するＬＥＤ１４、ＣＰＵ１２の制御の基で駆動するリレー１５、及びドライバー回路１１、ＣＰＵ１２、並びにＬＥＤ１４に動作電源を供給する電源１６からなっている。
【００２７】
ドライバー回路１１は、制御装置本体１から伝送線３を介して伝送された制御信号を受信すると共に、制御端末器４から制御装置本体１へ返信する操作結果と動作状態の情報信号を返信する。
【００２８】
ＣＰＵ１２は、ドライバー回路１１が受信した制御信号を解読して、自らの制御端末器４のアドレスへの制御信号であるか否かの判定と、自らのアドレスの制御信号に応じて照明器具５への点灯電力供給及び調光制御と、並びに、後述する本発明の一実施形態に係わる受信異常の検出等の処理シーケンスが内蔵されている。メモリ１３は、ＣＰＵ１２の制御の基で、ＣＰＵ１２が受信異常を検出したと判定すると、その受信異常情報を記憶するためのメモリである。ＬＥＤ１４は、ＣＰＵ１２の制御の基で、ＣＰＵ１２が受信異常を検出したと判定すると、その受信異常を表示するために点灯される。リレー１５は、ＣＰＵ１２の制御の基で駆動され、照明器具５に点灯電力を供給する。
【００２９】
次に、制御装置本体１と制御端末器４ａ〜４ｓの間で伝送線３を介して伝送する制御信号について図３を用いて説明する。
【００３０】
制御装置本体１は、操作スイッチ部２から操作者が入力した制御端末器４ａ〜４ｎに対する操作入力に応じて図３（ａ）に示す操作制御信号Ａを生成する。操作制御信号Ａは、例えば、制御端末器４ａに接続されている照明器具５ａの点灯、消灯及び調光が操作スイッチ部２から入力されると、操作スイッチ部２からの操作入力情報を基に、制御端末器４ａの点灯、消灯及び調光を示す信号であることを識別するための識別符号のエリアと、操作制御する対象の制御端末器４ａのアドレスデータのエリアと、点灯、消灯及び調光のための操作データのエリアと、及び操作データの基で制御端末器４ａが操作した結果である応答データを書込むエリアからなっている。
【００３１】
制御端末器４ａの操作制御信号Ａが伝送されると、所定の休止期間を設けて、同様の構成の制御端末器４ｂの操作制御信号Ａが生成されて伝送される。このように、制御端末器４ａ〜４ｎ毎の操作制御信号Ａが順次伝送され、最後の制御端末器４ｎの操作制御信号Ａの伝送が終了すると再度制御端末器４ａからの操作制御信号Ａの伝送が繰り返される。
【００３２】
制御装置本体１から伝送線３を介して伝送された制御端末器４ａ〜４ｎ毎の操作制御信号Ａは、それぞれの制御端末器４ａ〜４ｎが順次受信して、それぞれのＣＰＵ１２にて、伝送された操作制御信号Ａを解読して、自らのアドレスの操作制御信号であるか判別する。例えば、制御端末器４ａのＣＰＵ１２が自らのアドレスの操作制御信号Ａであると判定すると、ＣＰＵ１２は、操作データのエリアのデータを基に、接続している照明器具５ａの点灯、又は消灯のデータに従いリレー１５をオン／オフさせると共に、点灯時の調光度データに従い接続されている照明器具５ａを調光制御する。さらに、ＣＰＵ１２は、制御端末器４ａの操作制御信号の基で照明器具５ａの操作結果を制御端末器４ａの操作制御信号の応答データのエリアに書込み伝送線２へと送出させる。制御端末器４ａは、自らのアドレス以外の操作制御信号Ａに対しては、何ら反応させずに伝送線３へと送出する。
【００３３】
このように各制御端末器４ａ〜４ｎそれぞれは、伝送された操作制御信号Ａから自らのアドレスに対する操作制御信号Ａの基で、照明器具５ａ〜５ｎの点灯、消灯及び調光操作して、その操作結果である応答データを応答データエリアに書き込んで制御装置本体１へと返信伝送する。
【００３４】
さらに、制御装置本体１は、操作制御信号Ａ以外に、各制御端末器４ａ〜４ｎの動作状態を監視するための状態監視信号Ｂを生成して伝送線２を介して制御端末器４ａ〜４ｎに送信伝送する。この状態監視信号Ｂは、図３（ｂ）に示すように、例えば、制御端末器４ａによる照明器具５ａの操作制御を監視するための信号であることを識別するための識別符号のエリアと、動作状態監視する対象の制御端末器４ａのアドレスデータのエリアと、現在の点灯、消灯及び調光の動作状態をチェックする指示データのエリアと、及びチェック指示データの基でチェックした結果である制御端末器４ａの動作状態データを書き込むエリアからなっている。
【００３５】
制御端末器４ａの状態監視信号Ｂが伝送されると、所定の休止期間を設けて、同様の構成の制御端末器４ｂの状態監視信号Ｂが生成されて伝送される。このように、制御端末器４ａ〜４ｎ毎の状態監視信号Ｂが順次伝送される。
【００３６】
制御端末器４ａ〜４ｎは、制御装置本体１から伝送された各制御端末器４ａ〜４ｎ毎の状態監視信号Ｂの基で、現在の照明器具５ａ〜５ｎに対する操作動作状態に応じた状態データを生成して状態データのエリアに書き込む伝送線３を介して制御装置本体１に返信伝送する。
【００３７】
なお、操作制御信号Ａと状態監視信号Ｂの送信伝送形態は、図３（ｃ）に示すように、制御端末器４ａ〜４ｎに対する操作制御信号Ａを所定回数Ａ１〜Ａｎ繰り返して伝送した後、制御端末器４ａ〜４ｎに対する状態監視信号Ｂを１回伝送し、１回の状態監視信号Ｂの伝送が終了すると、再度操作制御信号Ａを所定回数Ａ１〜Ａｎ繰り返し伝送する。このように、操作制御信号Ａを所定回数繰り返して伝送後に、状態監視信号Ｂを伝送し、状態監視信号Ｂの伝送後再度操作制御信号Ａを所定回数繰り返して伝送することを繰り返して行う。つまり、状態監視信号Ｂは、例えば、操作制御信号Ａを３０分間伝送後に１回、つまり、３０分に１回位の割合で状態監視信号Ｂを伝送するように設定する。
【００３８】
このような操作制御信号Ａと状態監視信号Ｂが所定回数間隔にて制御装置本体１から伝送されると、制御端末器４ａ〜４ｎは、操作制御信号Ａと状態監視信号Ｂの基で操作結果の応答データと動作状態データを返信する。
【００３９】
しかし、前述したように、制御装置本体１からの操作制御信号Ａと状態監視信号Ｂが伝送される伝送線３と、制御端末器４ａ〜４ｎとの接続に断線や緩みによる一時的な接触不良が生じると制御端末器４ａ〜４ｎは操作制御信号Ａと状態監視信号Ｂを受信できない状態となる。
【００４０】
特に、伝送線３と制御端末器４ａ〜４ｎの接続の緩みや経時変化による一時的な接触不良が生じると、制御装置本体１に記録されている操作制御信号に対する各制御端末器４ａ〜４ｎからの応答データを基に受信異常が生じたことは解るが、具体的に伝送線３と制御端末器４ａ〜４ｎの受信異常の発生箇所の特定に従来は多くの時間を要していた。
【００４１】
そこで、本発明の一実施形態の照明制御システムの制御端末器４のＣＰＵ１２には、生業装置本体１から伝送された制御信号の受信異常を検出する受信異常検出手段を設けている。例えば、制御端末器４ａのＣＰＵ１２の受信異常検出手段は、伝送線３からドライバー回路１１を介して入力された自らのアドレスデータを有する操作制御信号Ａの有無を所定時間検出する。制御端末器４ａのＣＰＵ１２は、自らのアドレスデータを有する操作制御信号Ａが所定時間受信できないと、制御端末器４ａと伝送線３との間に断線や緩みが生じて接触不良による受信異常が発生したと判定する。
【００４２】
または、制御装置本体１から送信伝送される操作制御信号Ａには、点灯、消灯及び調光の操作制御を必要としないアドレスの制御端末器４に対しては、操作制御信号Ａを送信しないこともある。その場合は、自らのアドレスを有する操作制御信号Ａは受信されてなくとも、他の制御端末器４のアドレスデータを有する操作制御信号Ａの有無を所定時間検出する。つまり、制御端末器４ａに対する操作制御信号Ａが伝送されない場合の制御端末器４ａは、他の制御端末器４ｂ〜４ｎに対する操作制御信号Ａが所定時間受信できないと、制御端末器４ａのＣＰＵ１２の受信異常検出手段は、制御端末器４ａと伝送線３との間に断線や緩みが生じて接触不良による受信異常が発生したと判定する。
【００４３】
あるいは、制御端末器４は、所定回数繰り返された操作制御信号Ａの後に、伝送される状態監視信号Ｂの受信の有無を検出する。状態監視信号Ｂは、全ての制御端末器４ａ〜４ｎに対して伝送されるものであるから、例えば、制御端末器４ａが状態監視信号Ｂを所定期間後に受信できない場合は、制御端末器４ａと伝送線３との間に断線や緩みによる接触不良による受信異常が生じていると判定する。
【００４４】
このように、制御端末器４のＣＰＵ１２の受信異常検出手段は、自らのアドレスデータを含む走査制御信号Ａ、または他のアドレスデータを含む走査制御信号Ａを所定時間受信検出できない場合、あるいは所定間隔で送信される状態監視信号Ｂを受信検出できない場合は、受信異常と判定して、メモリ１３に受信異常の発生を記臆させると共に、ＬＥＤ１４を点灯させる。
【００４５】
なお、メモリ１３に記憶させる受信異常の発生記憶は、単に受信異常の発生したことのみの記憶、あるいは、ＣＰＵ１２の計時機能を用いて受信異常の発生日時を記憶させても良い。なお、メモリ１３に記憶させた受信異常は、伝送線３の一時的接触不良により受信異常が解消されて正常受信状態になっても消去せず、操作者により点検補修されるまで記憶させる。
【００４６】
又、ＬＥＤ１４は、メモリ１３への受信異常の発生記憶と共に点灯させて、操作者による点検補修が終了するまで点灯させる。
【００４７】
これにより、操作者は、制御端末器４ａ〜４ｎのＬＥＤ１４の点灯により制御端末器４ａ〜４ｎの受信異常が認識できるために、ＬＥＤ１４の点灯とメモリ１３の受信異常情報から制御端末器４ａ〜４ｎと伝送線３の接続状態のチェックや接続修理が可能となる。
【００４８】
なお、上述において、制御装置本体１は、操作スイッチ部２からの操作入力に応じて、各制御端末器４ａ〜４ｎの操作制御信号Ａを生成して送信する以外、制御装置本体１に各制御端末器４ａ〜４ｎの点灯、消灯及び調光のための、例えば、１日のスケジュールを設定し、内蔵されているタイマーによりある時間に達すると点灯、ある時間に達すると消灯等の自動的に点灯制御させることもできる。
【００４９】
以上説明したように、本発明の一実施形態の照明制御システムは、照明器具が接続される制御端末器に制御装置本体から制御信号を一定時間受信検出できない場合に、受信異常として記憶と表示させる受信異常検出手段を制御端末器自体に有するために、受信異常の確認と点検保守が容易となる。
【図面の簡単な説明】
【００５０】
【図１】本発明の一実施形態の照明制御システムの全体構成を示すブロック図。
【図２】本発明の一実施形態の照明制御システムに用いる制御端末器の構成を示すブロック図。
【図３】本発明の一実施形態の照明制御システムの操作制御信号、状態監視信号、及び各信号の伝送形態を説明する説明図。
【符号の説明】
【００５１】
１…制御装置本体、２…スイッチボックス、３…伝送線、４…制御端末器、５…照明器具、６…電源装置、１１…ドライバー回路、１２…マイクロコンピュータ（ＣＰＵ）、１３…メモリ、１４…ＬＥＤ、１５…リレー、１６…電源。
【００５２】
代理人  弁理士  伊藤  進
【図１】
2006186665.tif 000003
【図２】
2006186665.tif 000004
【図３】
2006186665.tif 000005